(57)【要約】      （修正有）【課題】文字盤の取扱いの単純性および利便性と、サイズの小ささと、信頼性と、美的外観とを最適に折り合わせることを可能にする。【解決手段】時計に実質的に平行に配置されることを意図されるディスク２と、文字盤１のディスク２に対して実質的に垂直な方向に延在するスカート３とを備えた時計用文字盤１であって、スカート３は、時計ムーブメントにおいて文字盤１を軸方向に保持するためにスカート３の高さにわたって部分的に延在する少なくとも１つの弾性要素１０を備える。【選択図】図１
2014119452.tif 000002
【特許請求の範囲】
【請求項１】
時計に実質的に平行に配置されることを意図されるディスク（２）と、文字盤の前記ディスク（２）に対して実質的に垂直な方向に延在するスカート（３）とを備えた時計用の文字盤（１）において、前記スカート（３）が、時計ムーブメント（２０）において前記文字盤（１）を軸方向に保持するために前記スカートの高さｈにわたって部分的に延在する少なくとも１つの弾性要素（１０）を備えることを特徴とする、時計用の文字盤。
【請求項２】
前記スカート（３）が、前記スカートの全高ｈにわたって延在しない少なくとも１つの弾性要素（１０）を備え、その高さＨ、またはより概括的には、前記弾性要素が前記文字盤の前記ディスク（２）に平行ではない場合にはその幅が、前記スカートの全高ｈの３分の２未満、またはさらには前記スカートの全高ｈの半分未満、またはさらには前記スカートの全高ｈの３分の１未満を示すことを特徴とする、請求項１に記載の時計用の文字盤。
【請求項３】
前記弾性要素（１０）が、前記スカート（３）に固定されかつ前記文字盤の前記ディスク（２）に平行ではない方向、特に前記文字盤の前記ディスクに対して実質的に垂直な方向に配向される１つの端部（１６）を有することを特徴とする、請求項１または２に記載の時計用の文字盤。
【請求項４】
前記弾性要素（１０）がブレードであることを特徴とする、請求項１から３のいずれか一項に記載の時計用の文字盤。
【請求項５】
前記ブレードが一方の端部（１６）または両方の端部（１６）で固定されることを特徴とする、請求項４に記載の時計用の文字盤。
【請求項６】
前記ブレードが、２ｍｍ以下、もしくは１ｍｍ以下、もしくは０．７ｍｍ以下、もしくは０．５ｍｍ以下、もしくは０．３ｍｍ以下の高さＨを有し、かつ／または、３ｍｍから１０ｍｍの間の長さＬにわたって延在することを特徴とする、請求項４または５に記載の時計用の文字盤。
【請求項７】
前記時計を基準として前記文字盤を中央で維持するための、前記スカートの周囲部の周りで特に均等に分布される少なくとも２つの弾性要素（１０）を備えることを特徴とする、請求項１から６のいずれか一項に記載の時計用の文字盤。
【請求項８】
側壁などの角度のついた端部止め部を形成する少なくとも１つの要素を備えることを特徴とする、請求項１から７のいずれか一項に記載の時計用の文字盤。
【請求項９】
前記スカート（３）が、０．２ｍｍから０．４ｍｍの間の厚さｅを有する、銅または貴金属などの金属で作られることを特徴とする、請求項１から８のいずれか一項に記載の時計用の文字盤。
【請求項１０】
請求項１から９のいずれか一項に記載の文字盤（１）と協働する時計ムーブメント（２０）を備えることを特徴とする、時計仕掛け組立体。
【請求項１１】
前記時計ムーブメント（２０）が、２つの構成要素を一体に接合させるときに弾性要素（１０）と協働して前記弾性要素（１０）を弾性的に変形させるための、外側輪郭から突出する少なくとも１つの突出部（３０）を備えることを特徴とする、請求項１０に記載の時計仕掛け組立体。
【請求項１２】
前記文字盤の前記スカート（３）の前記弾性要素（１０）が、前記時計ムーブメント（２０）の突出部（３０）の相補的なフランクと協働することができる、特に当接した状態になることができる、フックを備えることを特徴とする、請求項１１に記載の時計仕掛け組立体。
【請求項１３】
前記時計ムーブメント（２０）の前記突出部（３０）が、協働する前記文字盤（１）の前記弾性要素（１０）のたわみに多少とも対応する０．０１ｍｍから０．２ｍｍの間の追加の厚さを形成することを特徴とする、請求項１０から１２のいずれか一項に記載の時計仕掛け組立体。
【請求項１４】
前記時計ムーブメント（２０）の上面（２７）において、および／または前記時計ムーブメント（２０）の輪郭からの突出部（２５、３０）において、前記文字盤（１）の前記ディスク（２）の下側面（７、１２）または記文字盤の前記スカート（３）を支持するのに適していることを特徴とする、請求項１０から１３のいずれか一項に記載の時計仕掛け組立体。
【請求項１５】
前記時計ムーブメント（２０）に前記文字盤（１）を、角度のある割り出しをし角度をつけて保持する端部止め部を形成する要素、特に少なくとも１つの別の突出部（２５）を、前記時計ムーブメント（２０）が備えることを特徴とする、請求項１０から１３のいずれか一項に記載の時計仕掛け組立体。
【請求項１６】
請求項１０から１５のいずれか一項に記載の時計仕掛け組立体を備えることを特徴とする、リストウォッチ。
【発明の詳細な説明】
【技術分野】
【０００１】
本発明は、時計の文字盤に関し、そのような文字盤を組み込んだ、時計ムーブメントと協働する時計仕掛け組立体に関する。本発明はまた、したがって、そのような装置を組み込んだ、リストウォッチ（ｗｒｉｓｔｗａｔｃｈ）などの時計に関する。
【背景技術】
【０００２】
ウォッチ（ｗａｔｃｈ）の文字盤をフレームに固定するための従来技術の第１の解決策では、文字盤の下側表面から突出するピンが必要である。これらのピンは、フレームの上側表面に配置される切欠部内に収容されることになる。フレーム内に配置されるねじがピンを押圧してそれらのピンが動かないようにするのに使用され、それにより、フレームから文字盤が離脱することが完全に防止される。この固定方法は、いくつかのねじを扱わなくてはならないことから、特にユーザフレンドリではなく信頼性が低いという第１の不利点を有する。この固定方法は嵩高であり、したがって多数の機能を有するウォッチにおいては使用できないという第２の不利点を有し、日付機能を備えるウォッチなどの場合、美的外観を犠牲にしてウォッチ全体の直径を大幅に拡大しない限り、使用可能な表面積の大部分をこれらの多数の機能が占める必要がある。最後に、この解決策の別の不利点は、アタッチメントに付随する要素が必要な精度を完全に達成していない場合、不静定状態（ｓｉｔｕａｔｉｏｎ  ｏｆ  ｓｔａｔｉｃ  ｉｎｄｅｔｅｒｍｉｎａｃｙ）を発生させる危険性があることである。
【０００３】
特許文献１は、上述した解決策とは異なる解決策を開示しており、ここでは、ピンが、ウォッチの底部内の切欠部内に係合される弾性突出部に置き換えられる。この解決策では上述の解決策のようにねじを使用することは回避されるが、別の不利点がある。さらに、この解決策では、複雑な幾何形状を有する要素に依存することになる。
【０００４】
特許文献２に記載される別の解決策では、平坦な文字盤の周囲部に単純な弾性アームを配置することにより、要素同士を連結することを単純化しており、これらの弾性アームは、時計のフレームの上面に取り付けられるほぞと協働する。しかし、この解決策では表面積を大きくすることが必要となり、特にこれらの弾性アームを配置するための表面積が大きくなる。また、ほぞを使用する場合、文字盤を装着する前にほぞを予め組み付けることが必要となることから、複雑さが増す。
【０００５】
特許文献３が、文字盤ディスクおよび環状スカートを備えた文字盤を取り付けるための別の手法を説明している。環状スカートがフレームの横方向表面を覆い、それにより、ねじまたはピンを使用してフレームに文字盤を取り付けることが可能となる。この解決策も、ねじ固定作業が必要となり、また、外部固定具も必要となることから、やはり特にユーザフレンドリというわけではない。
【０００６】
最後に、特許文献４および特許文献５が別の解決策を説明しており、ここでは、文字盤が、文字盤ディスクと、その周囲部にありかつ下方に延在する弾性タブとを備える。これらの弾性タブはムーブメントのフレームと協働するか、またはムーブメントのフレームに取り付けられる固定リングと協働する。これらの弾性タブは、それらの上側端部の方を向くように配置される文字盤ディスクに対して水平方向に存在する、弾性タブの連結軸の周りを弾性的に動くことができる。文字盤が取り付けられると、弾性タブが、その連結軸の周りを文字盤の外側に向かって弾性的に移動し、固定リングの下方の下側部分内に留まる。タブの連結軸が文字盤ディスクと平行の方向を向くことから、タブの有効長さが文字盤の全高までに制限される。この幾何形状は組み付け作業／取り外し作業を何度も行うことには適さず、また、固定具の信頼性を維持することを保証することができない。また、このようなタブの幾何形状の場合、文字盤のタブおよびその文字盤のタブと協働するためのフレームを非常に正確に寸法決めすることを実現する必要がある。これは、タブが塑性変形するかまたはさらには破断するのを防止するためには、構成要素の相互作用を小さくすること、および構成要素の寸法のばらつきを小さくすることが必要であることを理由とする。これらの制約により、その設計は特に高いロバスト性を有さず、また、かなり大きいサイズを製造することにも適合しない。これらのタブも文字盤を保持するために単純に設計されるが、文字盤を中央に維持するものではない。
【先行技術文献】
【特許文献】
【０００７】
【特許文献１】スイス特許第３５３３１０号
【特許文献２】イギリス特許第２０７９４９７号
【特許文献３】スイス特許第２８２４４８号
【特許文献４】フランス特許第２０７７３９９号
【特許文献５】フランス特許第１００３６９６号
【発明の概要】
【発明が解決しようとする課題】
【０００８】
最後に、既存の解決策はすべて満足な結果を得ることができないことから、本発明の全体の目的は、例えばウォッチのフレームなどの時計ムーブメントに時計の文字盤を取り付けるための解決策を提案することであり、これは、取扱いの単純性および利便性と、サイズの小ささと、信頼性と、美的外観とを最適に折り合わせることを可能にする。
【課題を解決するための手段】
【０００９】
この目的を達成するため、本発明は、時計の文字盤に依拠し、この文字盤はスカートを備え、スカートの高さにわたって部分的に延在する少なくとも１つの弾性要素を備え、時計ムーブメントにおいて文字盤を軸方向に保持する機能を果たすことができる。
【００１０】
本発明は特許請求の範囲によりより正確に定義される。
【００１１】
本発明のこれらの目的、特徴および利点が、添付図を参照しながら非限定的に与えられる特定の実施形態の以下の説明により詳細に記載される。
【図面の簡単な説明】
【００１２】
【図１】本発明の一実施形態による時計仕掛け構成を上から見た斜視図である。
【図２】本発明の実施形態による、文字盤と協働するムーブメントの上面図である。
【図３】本発明の実施形態による、時計ムーブメントを備える文字盤の組立体を下から見た図である。この図は、後の一部の図で使用される断面Ａ−ＡおよびＢ−Ｂを定義する。
【図４】本発明の実施形態による文字盤の固定具の領域内での時計仕掛け構成の側面図である。
【図５】本発明の実施形態における時計ムーブメントに対する文字盤の固定具が如何にして機能するかを示すＡ−Ａの断面図である。
【図６】本発明の実施形態における時計ムーブメントに対する文字盤の固定具が如何にして機能するかを示すＡ−Ａの断面図である。
【図７】本発明の実施形態の代替形態による、固定具の部分の時計ムーブメントにおける文字盤構成の側面図である。
【図８】本発明の実施形態の代替形態による、固定具の領域における時計仕掛け構成の細部を示す断面図である。
【図９】本発明の一実施形態による時計仕掛け構成のＢ−Ｂの断面図である。
【図１０】本発明の実施形態の代替形態による時計仕掛け構成の細部の断面図である。
【発明を実施するための形態】
【００１３】
図１、図３および図４は、本発明の一実施形態による時計仕掛け組立体の２つの構成要素を描く。まず、文字盤１が、平坦なディスクの形態のディスク２と、スカート３とを備え、スカート３が、ディスクの円周部周りにディスクに対して実質的に垂直な方向に延在する。この文字盤１は、ウォッチのフレームなどの時計ムーブメント２０と協働することを意図され、したがって時計ムーブメント２０もやはり全体がディスク形状を有する。図１は時計ムーブメント２０に対向する文字盤１を描くが、ここでは時計ムーブメント２０は取り付けられていない。
【００１４】
慣例により、文字盤のディスク２に平行な平面を水平方向として定義し、文字盤のディスク２に対して垂直な方向を垂直方向ｚとして定義し、この垂直方向ｚは時計ムーブメントから文字盤の方を向くように配向される。したがって、この慣例によって以下の説明が単純化され、すなわち、スカート３が文字盤のディスク２から垂直下向きに延在し、文字盤１が、時計ムーブメントのすぐ上まで垂直方向に移動させられることにより、時計ムーブメント２０に固定される。２つの構成要素のこの垂直の取付け方向は、以下では、組立体の２つの構成要素を形成するディスク形状の軸を参照する場合には軸方向とも称される。また、接線方向は軸方向にある軸を中心とする円に接する任意の方向を意味し、この軸は特には組立体の２つの構成要素を形成するディスク形状の軸である。したがって、定義されるこれらの用語が、必ずしも円形状ではない文字盤および／または時計ムーブメントの任意の形状に対して使用され得ることを当業者であれば認識するであろう。
【００１５】
本発明の実施形態による文字盤１は、そのスカート３上に、スカート３内に作られる単純な貫通スロット１１によって形成されかつ軸方向にある軸に対して接線方向に配向される弾性ブレードの形態の弾性要素１０を備える。これらの弾性要素１０は、後で詳細に説明するように、時計ムーブメントに対して文字盤を軸方向に固定する役割を有する。示される例では、スカートは、その円形輪郭の周りで均等に分布される３つの弾性ブレードを備え、これらはすなわち１２０°ごとに分布される。スカートはまた、その高さの大部分にわたって延在する切欠部５を備え、これらは、時計ムーブメントに文字盤を角度をつけて割り出しする役割を有する。
【００１６】
時計ムーブメント２０が、文字盤のスカート３の弾性要素１０および切欠部５と協働するように設計される追加の要素を備える。したがって、時計ムーブメント２０は、文字盤の直径よりわずかに小さい直径を有するディスク形状を有し、文字盤のスカート３がその外側輪郭を覆い、それにより文字盤のディスク２が時計ムーブメント２０上で位置決めされる。時計ムーブメント２０はまた、その外側輪郭を形成する横方向表面上に、文字盤の弾性要素１０と協働することを意図される、表面から突出する第１の突出部３０と、場合によってはスカート内の切欠部５と協働するように設計される、同様に突出する第２の突出部２５とを備える。これらの突出部は一定の高さのところに一定の角度分布で配置され、これらは文字盤のスカートの幾何形状に従って画定される。
【００１７】
図５および図６は、この実施形態による解決策が如何にして機能するかをより具体的に示す。
【００１８】
図５は、時計ムーブメント２０のすぐ上まで移動させられた段階の文字盤１を描く。スカート３の弾性要素１０の下側端部１２が時計ムーブメント２０の輪郭の突出部３０の上側表面に接触する。２つの構成要素をより容易に相対的に位置決めするために、エントリテーパ（ｅｎｔｒｙ  ｔａｐｅｒ）すなわち面取り部１３の形態の表面がスカートの内側表面に形成され、すなわち、これらは、時計ムーブメント２０の方を向くように配向され、ブレードの下側端部の方を向く。エントリテーパまたは面取り部１３の形態の表面は、時計ムーブメント２０の突出部３０の頂表面３３の円形輪郭または面取りされた輪郭の外側角部に接触する。これらの２つの接触表面は、ブレードを突出部３０に接触させた状態で移動させて変形させるのを付勢するような幾何形状を有する。
【００１９】
文字盤１が継続して下方向に移動させられると、突出部３０によりブレードが側方に移動させられて弾性的に変形する。この動きは、ディスク２の下側表面７が時計ムーブメント２０の頂表面２７に接触して静止するようになるまで、継続するか、または別法として、この軸方向の動きを停止させるために２つの構成要素間で任意の形態の当接が形成されるまで、継続する。本実施形態では、時計ムーブメント２０の頂表面２７は、スカート３の下方内側の縁角部８が弾性要素１０の境界を画定するスロット１１の領域内に配置されるのを可能にするための切欠部２８を有し、それにより、ディスク２が突出部３０の領域内で時計ムーブメント２０に対して押圧されるようになるまで、ディスク２を下方向への移動は妨害されない。
【００２０】
図６に描かれる最終位置では、スカート３の弾性要素１０により時計ムーブメント２０の突出部３０に作用する弾性戻り力により、文字盤が軸方向において保持される。したがって、文字盤１が摩擦により時計ムーブメント２０上で保持される。言い換えると、文字盤１は時計ムーブメント２０に対してクリップ留めされる。
【００２１】
時計ムーブメントに対して文字盤を固定するこの段階において、２つの構成要素を互いに正確に位置決めすることを保証するために、文字盤を角度をつけて割り出しをする予備段階を行うことが好適であることを指摘しておきたい。予備段階において、スカートの弾性要素１０が、時計ムーブメントの対応する要素、すなわち示される例では突出部３０と協働し始める。その場合、例えば、図５に描かれる位置では、切欠部５の側壁のうちの少なくとも１つが対応する突出部２５に当接されるまで、文字盤が時計ムーブメントに対して回転させられる。このように角度をつけた割り出しをすることは別法として他の任意の手段によって実現されてもよく、例えばここでは第２の突出部２５が選択される。
【００２２】
図７が、文字盤のスカート３の弾性要素１０の実施形態の代替形態を示す。この代替形態では、追加の切欠部すなわちスリット１４が、上で説明したスリット１１に対して垂直な、実質的に鉛直方向となるようにスカート３内に形成され、それにより、ここでは一方の端部１６のみがスカートに組み込まれる（または単純に連結される）ようなブレードが形成される。これは、上述した方向の場合では両端部１６において組み込まれる。
【００２３】
図８が実施形態の別の代替形態を描いており、ここでは、弾性要素が時計ムーブメントに対して引っかかることにより、文字盤を軸方向において保持することが強化される。その目的のため、突出部３０がわずかに傾斜するフランクを有するように修正され、これは例えば５度程度傾斜され、これにより、上側部分に不連続部３３が形成され、時計ムーブメントに対して文字盤を固定する段階で、この下方において、不連続部３３の幾何形状を補足するような幾何形状を有する弾性要素１０の上側端部１５が弾性効果により停止される。このように、弾性要素の弾性クリップ効果と、弾性要素の頂表面が不連続部３３の下側面に対して当接されるときのフック効果とを組み合わせることにより、軸方向において保持することが保証される。このようにして、弾性要素が突出部３０上に引っかかる。
【００２４】
当然、文字盤および時計ムーブメントの多数の構成要素は異なる形態を採用することができる。
【００２５】
１つには、本明細書において上で説明した実施形態では、文字盤のスカートの弾性要素の選択した数は３個であったが、任意の別の数が選択されてもよく、軸方向において保持するのに１つの弾性要素のみで十分である可能性もある。好適には、複数の弾性要素が存在し、これらの弾性要素は、スカートの円周部周りで均等に分布され、それにより、文字盤が時計を基準として中央に着座するように付勢され、さらにそれにより、文字盤が、存在する可能性がある任意のディスプレイ部材に対して中央に着座するように付勢される。これらの弾性要素の幾何形状により、文字盤を保持することおよび文字盤を中央に配置することの両方が可能となることに留意されたい。また、１つの弾性要素が、時計ムーブメントに付随する、突出部などの１つの相補的な要素と協働する。好適には、文字盤のスカートの弾性要素は、時計ムーブメントに付随するこの相補的な要素を基準として中央に配置される。
【００２６】
図示される実施形態では、弾性要素はスカート内に作られる少なくとも１つのスリットによって得られ、これは図４および図７により具体的に見ることができる。このようなスリット１１は、円形の文字盤の場合、１０度から３０度の多様な角度セクタにわたって接線方向に延在してよい。このように選択することにより、約１５ｍｍの直径を有する文字盤の場合、２０度の角度セクタにわたって延在するスリットにより、５ｍｍ程度の有効長さＬを有するブレードを作ることが可能である。この有効長さＬは好適には３ｍｍから１０ｍｍの間である。また、このスリットは、２ｍｍ以下、もしくは１ｍｍ以下、もしくは０．７ｍｍ以下、例えば約０．５ｍｍ、または０．５ｍｍ以下、もしくは０．３ｍｍ以下の高さＨを有する弾性ブレードを形成するように配置される。さらに、スカートは、銅または貴金属などの特に弾性金属などの、金属から作られてよく、０．２ｍｍから０．４ｍｍの間の厚さｅを有することができる。
【００２７】
接線方向に延びる弾性ブレードの形態の弾性要素を描写してきた。当然、任意の方向に延在する弾性ブレードを使用することが可能であり、これは、好適には非ゼロの水平方向の成分、または水平方向に対していくらか小さい角度を有する成分のものである。より概括的には、スカートの弾性要素は、有利なことに、スカートに固定される、文字盤のディスクに対して平行ではないすなわち水平方向ではない少なくとも１つの端部１６を基準として、移動することができる。この端部１６は、特には、文字盤のディスクに対して実質的に垂直であってもよい。
【００２８】
さらに、この弾性要素は、少なくとも１つのスリットを使用してスカート内に直接に作られるブレードによって形成される。この解決策は単純であるという利点を有し、連続する組立体を形成し、ここでは、ブレードが、スカートに付随する少なくとも１つの端部１６によりスカートに連結される。好適には、このスリットは文字盤のディスクに実質的に平行である。別法として、スカートとは別個のブレードがスカートの表面に追加されて任意の手段によって固定されてもよい。さらに別法として、この弾性要素は何らかの別の形態を採用することもでき、ブレードの形態を取らなくてもよい。
【００２９】
このような構成を用いる場合、弾性要素はスカートの全高ｈにわたって延在するのではなく、その高さｈの一部分のみにわたって、すなわち、この高さｈにわたって部分的に延在し、それにより、所望の形態の固定具に良好に適合する弾性特性を得ることが可能となる。弾性要素のこの高さＨ、すなわち、より概括的には、この要素が水平方向ではない場合にはその幅は、好適には、スカートの全高ｈの３分の２未満またはこの高さの半分未満であってもよく、あるいはさらには、スカートの全高ｈの３分の１未満であってもよい。
【００３０】
文字盤はまた、ウォッチが組み立てられるときにフレームの表面に対して押圧されることを意図される追加の表面を備えることができ、それにより、これは最終的には、時計ムーブメントに接するように、さらには、時計の中央部分などの別の構成要素に接するように静止するような最終位置にくる。
【００３１】
文字盤は、有利には、例えば真鍮などの、銅材料で作られる。別法として、金または白金などの貴重な材料で作られてもよい。別法として、本明細書において上で説明した概念を使用するのに適する弾性特性および／または機械特性を有する任意の別の材料が採用されてもよい。
【００３２】
別法として、時計仕掛け組立体のこれらの構成要素は、例えばピンなどの補助手段または任意の別の手段を使用して角度をつけて割り出しされ得る。
【００３３】
また、時計ムーブメントが別の幾何形状を有してもよい。詳細には、文字盤のスカートの弾性要素と協働することを意図される第１の突出部が、０．０１ｍｍから０．２ｍｍの間の追加の輪郭厚さを有する突出部を形成することができる。この値は、有利には、文字盤の弾性要素のたわみに対応するように選択される。各々の第１の突出部３０および／または第２の突出部２５はまた、図９の断面Ｂ−Ｂで見ることができるように、文字盤の下側表面７の横方向部分を受け入れるための上側支承表面２７を形成することができる。
【００３４】
図１０に描かれる実施形態の代替形態では、文字盤のスカートが、時計ムーブメントの表面に接して静止することになる下側表面１２を備える。
【００３５】
最後に、説明した実施形態は最も概括的な円形状のウォッチを考察するものであるが、時計の美的な見た目に適する任意の形状が適合する可能性があり、これらには長方形形状または楕円形状などがある。本明細書において上で説明した時計仕掛け組立体はウォッチなどの種々の時計で使用されるのに適する。
【符号の説明】
【００３６】
１  文字盤
２  ディスク
３  スカート
５  切欠部
７  文字盤の下側表面
８  スカートの下方内側の縁角部
１０  弾性要素
１１  貫通スロット、スリット
１２  弾性要素の下側端部
１３  面取り部
１５  弾性要素の上側端部
１６  弾性要素の端部
２０  時計ムーブメント
２５  第２の突出部
２７  時計ムーブメントの頂表面、上側支承表面
２８  切欠部
３０  第１の突出部
３３  時計ムーブメントの突出部の頂表面、不連続部
【図１】
2014119452.tif 000003
【図２】
2014119452.tif 000004
【図３】
2014119452.tif 000005
【図４】
2014119452.tif 000006
【図５】
2014119452.tif 000007
【図６】
2014119452.tif 000008
【図７】
2014119452.tif 000009
【図８】
2014119452.tif 000010
【図９】
2014119452.tif 000011
【図１０】
2014119452.tif 000012
【外国語明細書】
2014119452000001.pdf
2014119452000002.pdf
2014119452000003.pdf
2014119452000004.pdf